(57)【要約】  本発明は釣り竿に取り付けられて釣り糸を案内する釣り糸ガイドを提供する。釣り糸ガイド（１００）は、釣り糸が通過するガイドリング（１１０）と、上端でガイドリングと連結される支脚（１２０Ｌ，１２０Ｒ）と、支脚の下端から延長して釣り竿（１０）に取り付けられる取付足（１３０）とを含む。取付足（１３０）は支脚（１２０Ｌ，１２０Ｒ）の下端に隣接する基端（１３１Ｂ）と基端と対向する先端（１３１Ｌ）を有する。取付足（１３０）はスリット部（１３２）と一対の凸部（１３５）を備える。スリット部（１３２）は基端（１３１Ｂ）から先端（１３１Ｌ）に向かって取付足（１３０）の中心軸（ＣＡ２）に沿って取付足（１３０）に開いている。一対の凸部（１３５）はスリット部（１３２）に位置して中心軸（ＣＡ２）に向かってそれぞれ突出する。
2017168911.tif 000002
【特許請求の範囲】
【請求項１】
釣り糸が通過するガイドリングと、
上端で前記ガイドリングと連結される支脚と、
前記支脚の下端から延長して釣り竿に取り付けられて、前記支脚の下端に隣接する基端と前記基端と対向する先端を有する取付足と、
を含み、
前記取付足は、前記基端から前記先端に向かって前記取付足の中心軸に沿って前記取付足に開いているスリット部と、前記スリット部に位置して前記中心軸に向かってそれぞれ突出する一対の凸部とを含む、
釣り糸ガイド。
【請求項２】
前記一対の凸部のそれぞれの少なくとも一部は、前記取付足と前記支脚の下端との間の連結部の最外側の両端を結ぶ線分と前記先端との間に位置する、
請求項１に記載の釣り糸ガイド。
【請求項３】
前記スリット部は前記取付足の中心軸に沿って前記先端と前記一対の凸部との間に位置する第１スリットを有し、
前記取付足の最大幅は、前記第１スリットの最大幅を経て前記中心軸に垂直な線が前記第１スリットの縁と前記取付足の縁とそれぞれ会う二点間の距離の３倍以上４倍以下である、
請求項１に記載の釣り糸ガイド。
【請求項４】
前記スリット部は前記取付足の中心軸に沿って前記先端と前記基端との間に位置する第１スリットと第２スリットとを有し、
前記第２スリットは前記第１スリットの幅より小さい幅を有する、
請求項１に記載の釣り糸ガイド。
【請求項５】
前記スリット部は前記基端から前記先端まで延長して、前記スリット部によって前記取付足が分割される、
請求項１に記載の釣り糸ガイド。
【請求項６】
前記一対の凸部は前記取付足の中心軸に沿って少なくとも部分的に互いに接触する、
請求項１に記載の釣り糸ガイド。
【請求項７】
前記支脚は、前記ガイドリングからそれぞれ延長する一対の第１支脚と前記ガイドリングから延長する１つの第２支脚を含み、
前記取付足は前記一対の第１支脚の下端から延長し、
前記釣り糸ガイドは前記第２支脚の下端から延長して釣り竿に取り付けられるもう１つの取付足を含み、
前記もう１つの取付足は前記一対の凸部の輪郭形状の一部と合わせられる輪郭形状を有する一対の凹部を備える、
請求項１に記載の釣り糸ガイド。
【請求項８】
請求項１〜請求項７のいずれか１項に記載の釣り糸ガイドを備える釣り竿。
【請求項９】
リング部と、前記リング部から延長する一対の第１支脚部と、前記一対の第１支脚部のそれぞれの自由端から延長して前記一対の第１支脚部のそれぞれの自由端に隣接する基端と前記基端と対向する先端を有する第１取付足部と、を含む釣り糸ガイド用ブランクであって、
前記第１取付足部は、前記基端から前記先端に向かって前記第１取付足部の中心軸に沿って前記第１取付足部に開いているスリット部と、前記スリット部に位置して前記中心軸に向かってそれぞれ突出する一対の凸部とを含む、
釣り糸ガイド用ブランク。
【請求項１０】
前記第１支脚部の間で前記リング部から延長する１つの第２支脚部と、前記第２支脚部の自由端から延長する第２取付足部とをさらに含み、
前記第２取付足部は、前記スリット部及び前記一対の凸部と形状が合わせられる形状を有する、
請求項９に記載の釣り糸ガイド用ブランク。
【請求項１１】
前記スリット部は前記基端から前記先端まで延長して、前記第１取付足部が前記スリット部によって分割される、
請求項９に記載の釣り糸ガイド用ブランク。
【請求項１２】
請求項９〜請求項１１のいずれか１項に記載の釣り糸ガイド用ブランクから製造される釣り糸ガイド。
【発明の詳細な説明】
【技術分野】
【０００１】
本発明は、釣り竿に取り付けられて釣り糸を案内する釣り糸ガイド及びこれを備える釣り竿に関するものである。また、本発明は、釣り糸ガイドを製造するためのブランクに関するものである。
【背景技術】
【０００２】
仕掛けをキャストする時に仕掛けに連結される釣り糸がリールから繰出される。魚を釣り上げる時に釣り糸はリールに巻き取られる。仕掛けをキャストする時に、または魚を釣り上げる時に、釣り糸を案内するために、釣り糸ガイドが釣り竿に取り付けられる。【０００３】
仕掛けをキャストする一例として、使用者の肩の直上と直横の間の中間の角度で仕掛けをキャストする、いわゆる、スリークォーターキャスト（ｔｈｒｅｅ  ｑｕａｒｔｅｒ  ｃａｓｔｉｎｇ）がある。スリークォーターキャスト時には、釣り糸を通じて釣り糸ガイドに横方向に負荷が作用する。よって、釣り糸ガイドの釣り竿への取付のための取付足に捻じれが発生する。また、左右に早く動く魚を釣り上げる時、使用者は魚の早い移動に速やかに反応できず、釣糸ガイドに釣り糸によって前記横方向に負荷が作用する。よって、釣り糸ガイドの取付足に捻じれが発生する。【０００４】
よって、仕掛けをキャストしたり魚を釣り上げる時に、釣り糸を通じて過度な負荷が釣り糸ガイドに作用して、釣り糸ガイドの釣り竿に対する取付位置が移動（釣り糸ガイドが釣り竿に取り付けられた位置から意図せずに離脱すること）され得る。【０００５】
釣り糸ガイドの一例として、日本国意匠登録公報第１４９５２７０号（特許文献１）は、２つの取付足を有する釣り糸ガイドを開示する。特許文献１によれば、ガイドリングの側傍から一対の側支脚が延長する。前記一対の側支脚は下端で互いに近接し、第１取付足が側支脚の下端に形成されている。また、前記ガイドリングの下方から１つの中支脚が延長し、第２取付足が中支脚の下端に形成されている。【０００６】
特許文献１が開示する釣り糸ガイドにおいて、前記第１取付足が主に捻じれに耐え、前記第２取付足は前記第１取付足の強度を補助する役割をする。釣り糸によって釣り糸ガイドに作用する負荷は、前記ガイドリングの側傍に加えられて、前記側支脚を通じて捻じれとして前記第１取付足に伝達される。第１取付足が取り付けられる釣り竿の直径を考慮して、特許文献１は、前記側支脚の下端から第１取付足の先端付近まで分割されているが、分割された部分の全部が閉鎖される第１取付足を開示する。また、特許文献１が開示する第１取付足はそれ全部に加工硬化が行われる。【０００７】
２つの取付足を有する釣り糸ガイドの他の一例として、日本国意匠登録公報第１３９８３２５号（特許文献２）は、第１取付足が完全に分割されており分割された各部分が大きい幅を有する釣り糸ガイドを開示する。【０００８】
一方、リールを固定するリールシートも取付足によって釣り竿に取り付けられ、リールに横方向に作用する負荷によってリールシートの取付足に捻じれが発生する。リールシートの取付足の捻じれ及びそれによるリールシートのグラツキに対処するために、リールシートの取付足より広い幅を有して取付足とは別個となっているワイドベースをリールシートの取付足に取り付けることが当該技術分野に知られている。しかし、このようなワイドベースは、リールシートの重量を増加させて取付足と一体に作るための工程を必要とするため、釣り糸ガイドには採用されていない。
【先行技術文献】
【特許文献】
【０００９】
【特許文献１】日本国意匠登録公報第１４９５２７０号
【特許文献２】日本国意匠登録公報第１３９８３２５号
【発明の概要】
【発明が解決しようとする課題】
【００１０】
特許文献１と特許文献２が開示する釣り糸ガイドを製造するためには、金属シートからプレス加工（パンチング、ブランキング）によって製造された平板のブランク（ｂｌａｎｋ）が用いられ得る。このようなブランクは、釣り糸ガイドを平面に展開させた形状を有する。図１は、特許文献１が開示する釣り糸ガイドとして製造され得るブランクを示す。【００１１】
図１に示すブランク９００において、リング部９１０の側傍で一対の第１支脚部９２０Ｌ、９２０Ｒが延長し、第１支脚部９２０Ｌ，９２０Ｒの自由端に上述した第１取付足となるＵ字型の第１取付足部９３０が形成されている。また、リング部９１０から１つの第２支脚部９４０が延長し、第２支脚部９４０の自由端に上述した第２取付足となる第２取付足部９５０が形成されている。第２取付足部９５０は、Ｕ字状の第１取付足部９３０に形成されたスリット部９３２と形状が合わせられている。スリット部９３２を有する第１取付足部９３０をプレス加工（ベンディング、ドローイング）して、上述した第１取付足を形成する。【００１２】
図２Ａ及び図２Ｂは、図１に示すブランク９００から特許文献１が開示する上述した第１取付足を形成する例を示す。図２Ａに示すように、プレス加工によって第２取付足部９５０がＵ字状の第１取付足部９３０のスリット部９３２から分離される。次に、第１取付足部９３０の全部をプレス加工して、図２Ｂに示す第１取付足９３０’が形成される。第１取付足９３０’では、スリット部９３２が閉鎖されており、その全領域ＦＡが加工硬化されている。図２Ｂに示す第１取付足９３０’を形成するためには、スリット部９３２を閉鎖するように第１取付足９３０’の全部に加工硬化を引き起こすプレス加工を行わなければならない。しかし、金属材料のスプリングバック（ｓｐｒｉｎｇ  ｂａｃｋ）現象により、上述した第１取付足は、図２Ｂに示す、意図された形状に形成されず、様々な欠陥を有する。【００１３】
図３Ａ及び図３Ｂは、図１に示すブランク９００からスリット部９３２の全部を閉鎖して形成される取付足に発生する欠陥の例を示す。図３Ａに示すように、金属材料のスプリングバック現象により、第１取付足９３０’の縁に不規則なカーブラインが生成され、これにより意図しなかった不規則な間隙Ｇが形成され得る。第１取付足が図３Ａに示す欠陥を有すると、第１取付足９３０’は一定ではない幅を有するようになり、釣り糸ガイドの美観を害する。また、釣り糸ガイドを釣り竿に固着するために釣り竿と第１取付足９３０’に巻かられる巻き糸が稠密で且つ安定的に巻かれず、これにより釣り竿の装飾性を損傷させる。プレス加工時に圧力が不十分であれば、図３Ｂに示すように、スプリングバック現象により第１取付足部のスリット部９３２が意図した通りに閉鎖されず長手方向に長い間隙Ｇが第１取付足９３０’に生じる。また、プレス加工時の圧力の不十分により、第１取付足９３０’の全部が求められる水準に加工硬化されない。よって、第１取付足９３０’は、それに作用する捻じれによってひずみ得る。【００１４】
特許文献２は、完全に分割されており大きい幅を有する第１取付足を開示する。しかし、大きい幅の第１取付足は釣り竿の外面と容易に合わせられず、第１取付足と釣り竿との間に多分に隙間を生じさせ、このような隙間は、釣り竿の装飾性を損傷させる。また、様々な直径の釣り竿に適用されるためには、釣り竿の直径別に適した幅を有する第１取付足を備える多数の釣り糸ガイドが必要となり、これは製造費用を上昇させる。【００１５】
本発明は上述した従来技術の欠陥に着眼してこれを解決するために創案されたものである。本発明は、釣り糸が加える負荷によって取付足に生じる捻じれによって釣り竿に対する取付位置が移動されない釣り糸ガイドを提供する。また、本発明は、前記の捻じれに対して向上した耐捻じれ強度を有する釣り糸ガイドを提供する。また、本発明は、向上した耐捻じれ強度を有し、軽量の釣り糸ガイドを提供する。また、本発明は、上述した釣り糸ガイドを製造するためのブランクと、上述した釣り糸ガイドを備える釣り竿を提供する。
【課題を解決するための手段】
【００１６】
本発明の一側面によれば、釣り竿に取り付けられて釣り糸を案内する釣り糸ガイドが提供される。代表的な実施形態による釣り糸ガイドは、釣り糸が通過するガイドリングと、上端で前記ガイドリングと連結される支脚と、前記支脚の下端から延長して釣り竿に取り付けられる取付足とを含む。前記取付足は、前記支脚の下端に隣接する基端と前記基端と対向する先端を有する。前記取付足は、スリット部と一対の凸部を含む。前記スリット部は、前記基端から前記先端に向かって前記取付足の中心軸に沿って前記取付足に開いている。前記一対の凸部は、前記スリット部に位置し、前記中心軸に向かってそれぞれ突出する。【００１７】
一実施形態において、前記一対の凸部のそれぞれの少なくとも一部は、前記取付足と前記支脚の下端間の連結部の最外側の両端を結ぶ線分と前記先端との間に位置する。【００１８】
一実施形態において、前記スリット部は、前記取付足の中心軸に沿って前記先端と前記一対の凸部との間に位置する第１スリットを有する。前記取付足の最大幅は、前記第１スリットの最大幅を経て前記中心軸に垂直の線が前記第１スリットの縁と前記取付足の縁とそれぞれ会う二点間の距離の３倍以上４倍以下である。【００１９】
一実施形態において、前記スリット部は、前記取付足の中心軸に沿って前記先端と前記基端との間に位置する第１スリットと第２スリットとを有する。前記第２スリットは前記第１スリットの幅より小さい幅を有する。【００２０】
一実施形態において、前記スリット部は、前記基端から前記先端まで延長して、前記スリット部によって前記取付足が分割される。【００２１】
一実施形態において、前記一対の凸部は、前記取付足の中心軸に沿って少なくとも部分的に互いに接触する。【００２２】
一実施形態において、前記支脚は、前記ガイドリングからそれぞれ延長する一対の第１支脚と前記ガイドリングから延長する１つの第２支脚を含む。前記取付足は、前記一対の第１支脚の下端から延長する。前記釣り糸ガイドは、前記第２支脚の下端から延長して釣り竿に取り付けられるもう１つの取付足を含む。前記もう１つの取付足は、前記一対の凸部の輪郭形状の一部と合わせられる輪郭形状を有する一対の凹部を備える。【００２３】
一実施形態において、前記一対の凸部は塑性変形によって生成される加工硬化部を含む。しかし、前記一対の凸部を除いた前記スリット部に隣接する前記取付足の部分は加工硬化部を含まない。【００２４】
本発明の他の一側面は、上述した実施形態の釣り糸ガイドを製造するためのブランクを提供する。代表的な実施形態による釣り糸ガイド用ブランクは、リング部と、前記リング部から延長する一対の第１支脚部と、前記一対の第１支脚部のそれぞれの自由端から延長する第１取付足部を含む。前記第１取付足部は、前記一対の第１支脚部のそれぞれの自由端に隣接する基端と、前記基端と対向する先端を有する。前記第１取付足部は、スリット部と一対の凸部を含む。前記スリット部は、前記基端から前記先端に向かって前記第１取付足部の中心軸に沿って前記第１取付足部に開いている。前記一対の凸部は、前記スリット部に位置し、前記中心軸に向かってそれぞれ突出する。【００２５】
一実施形態において、前記ブランクは、前記第１支脚部の間で前記リング部から延長する１つの第２支脚部と、前記第２支脚部の自由端から延長する第２取付足部をさらに含む。前記第２取付足部は、前記スリット部及び前記一対の凸部と形状が合わせられる形状を有する。【００２６】
一実施形態において、前記スリット部は、前記基端から前記先端まで延長して、前記第１取付足部が前記スリット部によって分割される。【００２７】
本発明のさらに他の側面は、上述した実施形態の釣り糸ガイドまたは上述した実施形態のブランクから製造される釣り糸ガイドを備える釣り竿を提供する。
【発明の効果】
【００２８】
実施形態の釣り糸ガイドは、中心軸に沿って開いたスリット部と、スリット部に位置して中心軸に垂直な方向に突出する一対の凸部を有する取付足を備える。一対の凸部とスリット部とを有する取付足は、これらを備えない取付足に比べて広い幅を有する。取付足のスリット部は、取付足を釣り竿に固着するための巻き糸に塗布される接着剤を収容する。【００２９】
スリット部に収容された接着剤は、硬化した後、アンカーとして作用して、外力によって釣り糸ガイドが取付位置から離脱することを防止する。よって、仕掛けをキャストする時に、または魚を釣り上げる時に、釣り糸が加える負荷によって取付足に発生する捻じれに対して、捻じれに耐える取付足の部分の耐捻じれ強度が向上することができる。【００３０】
また、実施形態の釣糸ガイドの取付足は、一対の凸部に塑性変形による加工硬化部を含む。一対の凸部が加工硬化部を含んでスリット部が取付足に形成されているため、実施形態の釣り糸ガイドの取付足は、スリット部の全部を閉鎖するように取付足の全部に加工硬化を引き起こす従来のプレス加工を排除させる。即ち、実施形態の釣り糸ガイドは、少ない圧力を用いて少ない変形を伴うプレス加工によって形成され得る。よって、プレス加工に用いられる金型の寿命が向上し得、釣り糸ガイドの生産性が向上し得、釣り糸ガイドは低減された製造原価で製造され得る。【００３１】
また、実施形態の釣糸ガイドは、上述した耐捻じれ強度の向上を重量の増加なしに達成することができる。
【図面の簡単な説明】
【００３２】
【図１】従来技術の釣り糸ガイドを製造するためのブランクを示す。
【図２Ａ】図１に示すブランクの第１取付足部を示す。
【図２Ｂ】図１に示すブランクの第１取付足部から形成される第１取付足を示す。
【図３Ａ】従来技術の釣り糸ガイドの取付足で発生する欠陥の一例を示す。
【図３Ｂ】従来技術の釣り糸ガイドの取付足で発生する欠陥の他の一例を示す。
【図４】一実施形態による釣り糸ガイドを備える一実施形態による釣り竿を示す側面図である。
【図５】第１実施形態による釣り糸ガイドが釣り竿に取り付けられていることを示す斜視図である。
【図６】第１実施形態による釣り糸ガイドが釣り竿に取り付けられていることを示す平面図である。
【図７】図６のＶＩＩ−ＶＩＩ線に沿って取った断面図である。
【図８】第１実施形態による釣り糸ガイドを示す斜視図である。
【図９】図８に示す釣り糸ガイドの側面図である。
【図１０】図８に示す釣り糸ガイドの正面図である。
【図１１】図８に示す釣り糸ガイドの背面図である。
【図１２】図８に示す釣り糸ガイドの平面図である。
【図１３】第１実施形態による釣り糸ガイドの取付足を示す平面図である。
【図１４】図１３に示す取付足のスリット部と凸部を示す平面図である。
【図１５】図１３と類似の図であって、取付足の幅とスリットの幅を例示する。
【図１６】凸部の他の例を示す平面図である。
【図１７】凸部のさらに他の例を示す平面図である。
【図１８】凸部のさらに他の例を示す平面図である。
【図１９】凸部のさらに他の例を示す平面図である。
【図２０】第２実施形態による釣り糸ガイドを示す斜視図である。
【図２１】図２０に示す釣り糸ガイドの平面図である。
【図２２Ａ】１つの取付足を有する第３実施形態による釣り糸ガイドを示す斜視図である。
【図２２Ｂ】１つの取付足を有する第３実施形態による釣り糸ガイドを示す斜視図である。
【図２３Ａ】１つの取付足を有する第４実施形態による釣糸ガイドを示す斜視図である。
【図２３Ｂ】１つの取付足を有する第４実施形態による釣り糸ガイドを示す斜視図である。
【図２４】第１実施形態による釣り糸ガイドを製造するためのブランクの一例を示す。
【図２５Ａ】図２４に示すブランクの第１取付足部と第２取付足部を示す。
【図２５Ｂ】第２取付足部が第１取付足のスリット部から分離されていることを示す。
【図２５Ｃ】プレス加工によって第１取付足部のスリット部が狭められることを示す。
【図２５Ｄ】図２４に示すブランクから形成された実施形態の釣り糸ガイドの取付足を示す。
【図２６】図２５ＤのＸＸＶＩ−ＸＸＶＩ線に沿って取った断面図である。
【図２７】第２実施形態による釣り糸ガイドを製造するためのブランクの一例を示す。
【図２８】図２７に示すブランクの第１取付足部を示す。
【図２９】第３実施形態による釣り糸ガイドを製造するためのブランクの一例を示す。
【発明を実施するための形態】
【００３３】
添付の図面を参照して釣り糸ガイド、釣り糸ガイドを製造するためのブランク、及び釣り竿の実施形態を説明する。添付の図面で同一の参照符号は同じまたは対応する要素または部品を指す。本明細書で用いられる「上方」、「上」などの方向の指示語はガイドリングが取付足に対して位置する方向を基準とし、「下方」、「下」などの方向の指示語はその反対方向を意味する。
【００３４】
図４は一実施形態による釣り竿１０を示す。図４において、矢印（Ｔ）は釣り竿の先端に向かう方向を示し、矢印（Ｂ）は釣り竿の後端に向かう方向を示す。釣り竿１０は１つの竿、または複数の部分竿からなり得る。釣り竿１０は、その後端付近にリールを取り付けるためのリールシート１４を有する。また、釣り竿１０は、釣り竿一部１１に取り付けられて釣り糸を案内する釣り糸ガイドを備える。釣り竿１０は、その釣り糸ガイとして以下で記述する実施形態の釣り糸ガイドのうち少なくとも１つを備える。
【００３５】
図５〜図２３Ｂは、釣り糸ガイドの様々な実施形態を示す。釣り糸ガイドは、釣り竿への取付のための１つ以上の取付足を備える。
【００３６】
図８及び図２０に示す実施形態による釣り糸ガイド１００，２００は、２つの取付足第１取付足１３０，２３０と第２取付足１５０を備える。この実施形態の釣り糸ガイドは、当該技術分野において「ダブルフット（ｄｏｕｂｌｅ−ｆｏｏｔ）釣り糸ガイド」として参照される。この実施形態の釣り糸ガイドは、第１取付足１３０，２３０と結合される一対の第１支脚１２０Ｌ、１２０Ｒと、第２取付足１５０と結合される１つの第２支脚１４０を備える。
【００３７】
図２２Ａ〜図２３Ｂに示す実施形態による釣り糸ガイド３００Ａ，３００Ｂ，４００Ａ，４００Ｂは、１つの取付足３３０Ａ，３３０Ｂ，４３０Ａ，４３０Ｂを備える。このような実施形態の釣り糸ガイドは、当該技術分野において「シングルフット（ｓｉｎｇｌｅ−ｆｏｏｔ）釣り糸ガイド」として参照される。この実施形態の釣り糸ガイドは、前記１つの取付足と結合される一対の第１支脚１２０Ｌ，１２０Ｒ，４２０Ｌ，４２０Ｒを備える。
【００３８】
図５〜図２３Ｂに示す釣り糸ガイドの第１取付足１３０，２３０及び取付足３３０Ａ，３３０Ｂ，４３０Ａ，４３０Ｂは、以下に説明するスリット部１３２，２３２と一対の凸部１３５を備える。
【００３９】
図５〜図７に示すように、釣り糸ガイドの取付足は、巻き糸１２によって釣り竿に固着され得る。即ち、取付足を釣り竿一部１１の外面に接触させて、巻き糸１２が前記取付足と前記取付足が位置する釣り竿一部１１とに稠密に巻かられて前記取付足を釣り竿一部１１に固着する。巻き糸１２が巻かれた後、巻かれた巻き糸１２に接着剤が塗布される。接着剤が硬化すれば、巻かれた巻き糸１２にわたって接着剤コーティング１３が形成される。接着剤コーティング１３は、巻き糸１２の解けを防止し、隣接する巻き糸１２間の隙間を埋めて、釣り竿に装飾性を付与する。
【００４０】
＜第１実施形態＞
図５〜図１９は、２つの取付足を有する第１実施形態による釣り糸ガイド１００を示す。図８を参照すると、第１実施形態の釣り糸ガイド１００は、釣り糸が通過するガイドリング１１０と、ガイドリング１１０から延長する一対の第１支脚１２０Ｌ、１２０Ｒ及び第２支脚１４０と、第１支脚１２０Ｌ、１２０Ｒ及び第２支脚１４０からそれぞれ延長する第１取付足１３０及び第２取付足１５０を備える。釣り糸ガイド１００は、金属シートのプレス加工（パンチング、ブランキングなど）によって得られるブランクからプレス加工（ベンディング、ドローイングなど）を通じて製造され得る。
【００４１】
図８〜図１２を参照すると、ガイドリング１１０は、その中に釣り糸が通過する円形または楕円形の開口１１１を有する。この実施形態で、ガイドリング１１０は、硬質リング１１２を保持する保持リング１１３を有する。硬質リング１１２は釣り糸と接触し、その中に円形の開口１１１を有する。硬質リング１１２は、耐摩耗性が優れた硬質材料からなる。保持リング１１３は略円形であり、保持リング１１３の内周面に硬質リング１１２が嵌合されて、保持リング１１３が硬質リング１１２を保持する。他の例として、硬質リング１１２は楕円形になり得、硬質リング１１２の楕円形に合わせて保持リング１１３は楕円形になり得る。他の実施形態において、ガイドリング１１０は、所望する強度、硬度、耐摩耗性などが満たされるれば、１つのリング状の部品になり得る。
【００４２】
一対の第１支脚１２０Ｌ，１２０Ｒは、上端でガイドリング１１０に連結されている。一対の第１支脚１２０Ｌ，１２０Ｒは、下端付近で互いに近接して第１取付足１３０と連結される。第１取付足１３０は、各支脚１２０Ｌ，１２０Ｒの下端１２１Ｌ，１２１Ｒから延長する。第１取付足１３０は、釣り竿一部１１の外面と接触する下面１３１ＬＳと、垂直方向ＶＤ（または、第１取付足１３０の厚さ方向）で下面１３１ＬＳと対向する上面１３１ＵＳを有する。第１取付足１３０の下面１３１ＬＳは、図１１に示すように丸く凹んだ面を含む。
【００４３】
第２支脚１４０は、上端でガイドリング１１０に連結されており、下端で第２取付足１５０に連結される。第２取付足１５０は、第２支脚１４０の下端から延長する。第２取付足１５０は、釣り竿一部１１の外面と接触する下面１５１を有する。図１０に示すように、第２取付足１５０の下面１５１は、丸く凹んだ面を含む。図９及び図１２に示すように、第２取付足１５０は、第２支脚１４０の下端に隣接する一対の凹部１５２を備える。図１２を参照すると、第２取付足１５０の一対の凹部１５２は、第１取付足１３０の一対の凸部１３５の輪郭形状の一部と合わせられる輪郭形状を有する。
【００４４】
仕掛けをキャストする時に、または魚を釣り上げる時に、釣り糸がガイドリング１１０に加える負荷によって、第１取付足１３０に捻じれが発生し得る。
【００４５】
図８及び図１２〜図１５を参照すると、第１取付足１３０は、第１支脚の下端１２１Ｌ、１２１Ｒに隣接する基端１３１Ｂと、第１取付足１３０の中心軸ＣＡ２に沿って基端１３１Ｂと対向する先端１３１Ｌを有する。また、第１取付足１３０は、基端１３１Ｂに接して第１支脚の下端１２１Ｌ、１２１Ｒと第１取付足１３０間の境界となる連結部１３１Ｊと、第１取付足１３０の側傍に位置する側端１３１Ｓを有する。図１２に示すように、釣り糸ガイド１００を上方からみた時、側端１３１Ｓは略Ｕ字状を有する。
【００４６】
図８を参照すると、第１取付足１３０はスリット部１３２を備え、スリット部１３２によって第１取付足１３０の長手方向ＬＤにおける一部が分割される。スリット部１３２は、第１取付足１３０の厚さ方向（即ち、第１取付足１３０の下面と上面を貫通する垂直方向ＶＤ）に中心軸ＣＡ２に沿って基端１３１Ｂから先端１３１Ｌに向かって第１取付足１３０に開いている。第１取付足１３０は、第１支脚１２０Ｌ、１２０Ｒの下端１２１Ｌ、１２１Ｒからそれぞれ延長する左側半部１３０Ｌと右側半部１３０Ｒを有し、釣り糸ガイド１００を上方からみた時（図１２参照）、左側半部１３０Ｌと右側半部１３０Ｒは中心軸ＣＡ２に対して対称である。
【００４７】
図８及び図１２〜図１５を参照すると、第１取付足１３０は、スリット部１３２に位置して中心軸ＣＡ２に向かってそれぞれ突出する一対の凸部１３５を備える。各凸部１３５がスリット部１３２の各側傍に位置する。各凸部１３５は、基端１３１Ｂに隣接する基端面１３５Ｂと、中心軸ＣＡ２に沿って基端面１３５Ｂと対向する先端面１３５Ｌと、基端面１３５Ｂと先端面１３５Ｌとの間に位置する中間面１３５Ｍを有する。各凸部１３５の基端面１３５Ｂは、第１取付足１３０の基端１３１Ｂを形成する。即ち、一対の凸部１３５は、第１取付足１３０の基端１３１Ｂから先端１３１Ｌに向かって延長し、中心軸ＣＡ２に垂直に中心軸ＣＡ２に向かって突出する。基端面１３５Ｂと中間面１３５Ｍは直角をなす。中間面１３５Ｍは平面を含む。または、中間面１３５Ｍは曲面を含んでもよい。中間面１３５Ｍと先端面１３５Ｌは、丸く湾曲した面を通じて連結される。先端面１３５Ｌは、中心軸ＣＡ２に対して鋭角に傾いている。または、先端面１３５Ｌは、中心軸ＣＡ２に対して垂直に位置してもよい。先端面１３５Ｌ及び中間面１３５Ｍにおける各凸部１３５の輪郭形状が、第２取付足１５０の凹部１５２の輪郭形状と合わせられる。
【００４８】
スリット部１３２は、一対の凸部１３５により、中心軸ＣＡ２に沿って先端１３１Ｌと基端１３１Ｂとの間に位置して互いに異なる幅を有する第１スリット１３３と第２スリット１３４を含む。第１スリット１３３は、スリット部１３２で中心軸ＣＡ２に沿って先端１３１Ｌと一対の凸部１３５との間に位置する空間である。また、第１スリット１３３は、スリット部１３２で第２スリット１３４を除いた空間になり得る。第２スリット１３４は、第１スリット１３３と連結されて、第１スリット１３３の幅より小さい幅を有する。
【００４９】
第２スリット１３４は、スリット部１３２で各凸部１３５の中間面１３５Ｍの間に位置する空間である。第１スリット１３３と第２スリット１３４との間には、先端１３１Ｌ側に幅が大きくなる遷移部１３３Ｔが形成されている。各凸部１３５の先端面１３５Ｌが中心軸ＣＡ２に垂直であれば、スリット部１３２は遷移部１３３Ｔを有しなくてもよい。第２スリット１３４は、基端１３１Ｂから先端１３１Ｌに向かって延長し、第１スリット１３３は遷移部１３３Ｔから先端１３１Ｌに向かって延長する。図１５を参照すると、第１スリット１３３は、第２スリット１３４の幅Ｗ５より大きい幅Ｗ４を有する。ここで、各スリットの幅は、中心軸ＣＡ２に垂直な方向における各スリットの縁の二点間の最短距離を意味する。一対の凸部１３５は、第２スリット１３４の幅Ｗ５だけ離隔されている。
【００５０】
図１３及び図１４に示すように、釣り糸ガイド１００を上方からみた時、スリット部１３２は遷移部１３３ＴでＳ字状の縁を有し、第２スリット１３４から遠くにある第１スリット１３３の端領域でＵ字状の縁を有する。また、それぞれの凸部１３５が基端１３１Ｂに隣接してスリット部１３２に位置するため、スリット部１３２の縁は各凸部１３５の縁の一部を含む。
【００５１】
図１３〜図１５に示すように、釣り糸ガイド１００を上方からみた時、各凸部１３５の一部は、線分Ｌ１と第１取付足１３０の先端１３１Ｌとの間に位置する（ここで、線分Ｌ１は、連結部１３１Ｊの最外側の両端Ｐ１を結ぶ線分である）。即ち、各凸部１３５の先端面１３５Ｌの一部または全部、または、先端面１３５Ｌの全部と中間面１３５Ｍの一部は、線分Ｌ１と先端１３１Ｌとの間に位置する。よって、巻き糸１２を第１取付足１３０に巻くとき、巻き糸１２は各凸部１３５の前記の一部上に巻かれ得る。第１取付足１３０の基端１３１Ｂは、連結部１３１Ｊの最内側の両端Ｐ２を経る線Ｌ２に位置する。
【００５２】
図１４及び図１５に示すように、第１スリット１３３の幅Ｗ４は、第２スリット１３４の幅Ｗ５より大きい。第１スリット１３３の幅Ｗ４は、先端１３１Ｌに行くほど狭くなる。第１スリット１３３の最大幅Ｗ３は、凸部１３５の先端面１３５Ｌ（例えば、遷移部１３３Ｔ）に隣接している。第１スリット１３３の最大幅Ｗ３の位置は、第１取付足を形成するためのプレス加工における圧力により変更され得る。他の例として、第１スリット１３３の幅Ｗ４は、先端１３１Ｌに行くほど広くなり得、第１スリット１３３の最大幅Ｗ３は第１スリット１３３の先端に隣接し得る。
【００５３】
第１取付足１３０と釣り竿一部１１とに巻かれて釣り糸ガイド１００を釣り竿に固着する巻き糸１２に接着剤を塗布すれば、接着剤は第１スリット１３３に流れ込み、第１スリット１３３が接着剤を収容する。第１スリット１３３に収容された接着剤は第１スリット１３３内で硬化し、第１取付足１３０と巻き糸１２を全て覆いながら硬化する接着剤とともに硬質の構造物を形成する。第１スリット１３３が第１取付足１３０に厚さ方向に開いているため、第１スリット１３３に収容されて硬化した接着剤は、第１取付足１３０を固定させるアンカーとして作用する。
【００５４】
図１２、図１３及び図１５に示すように、第１取付足１３０の幅（釣り糸ガイド１００を上方からみた時、中心軸ＣＡ２に垂直な方向における両側端１３１Ｓ間の長さ）は、先端１３１Ｌ側に次第に減少する。この実施形態において、第１取付足１３０の最大幅Ｗ１は、連結部１３１Ｊの最外側の両端Ｐ１を結ぶ線分Ｌ１上に位置する。第１取付足１３０の最大幅Ｗ１は、中心軸ＣＡ２に垂直であり第１スリット１３３の最大幅Ｗ３を経る線Ｌ３が第１スリット１３３の縁と会う点Ｐ３と第１取付足１３０の縁と会う点Ｐ４との間の距離Ｗ２（即ち、線Ｌ３における左側半部１３０Ｌまたは右側半部１３０Ｒの幅）の３倍以上４倍以下の範囲で定められ得る。第１取付足１３０の最大幅Ｗ１が距離Ｗ２の４倍を超える場合、第２取付足１５０が相対的に大きい幅を有することになって、釣り糸ガイド１００の重量を増加させる。また、第１取付足１３０の最大幅Ｗ１が釣り竿の平均直径より大きくなり得、巻き糸１２が第１取付足１３０に容易に巻かれず、釣り竿の美観を損傷させる。第１取付足１３０の最大幅Ｗ１が距離Ｗ２の３倍未満である場合、第１スリット１３３の幅が狭くなって巻き糸１２に塗布される接着剤が第１スリット１３３に円滑に流れ込めず、上述したアンカー作用が十分に示されない。また、一対の凸部１３５の大きさが小さくなるため、プレス加工時の圧力の大きさによってプレス加工によって一対の凸部１３５が潰れ得、スリット部１３２が形成され得ない。また、第１スリット１３３の最大幅Ｗ３は、線Ｌ３上の点Ｐ３と点Ｐ４間の距離Ｗ２と同じであるか、または距離Ｗ２の２倍以下であり得る。他の実施形態として、第１取付足１３０は、線分Ｌ１と第１スリット１３３との間で最大幅を有してもよい。
【００５５】
図１６は一対の凸部の他の一例を示す。一対の凸部１３５は、第１取付足の基端１３１Ｂから離隔されている。よって、各凸部１３５の基端面１３５Ｂと第１取付足１３０の基端１３１Ｂとの間には段差部１３１Ｐが形成され、段差部１３１Ｐによってスリット部１３２は第２スリット１３４と基端１３１Ｂとの間に追加のスリット１３４Ａを有する。また、スリット部１３２の縁は各凸部１３５の縁の全てを含む。
【００５６】
図１７は一対の凸部のさらに他の例を示す。各凸部１３５の基端面１３５Ｂと中間面１３５Ｍは、湾曲した面を通じて連結されている。
【００５７】
図１８は一対の凸部のさらに他の一例を示す。一対の凸部１３５の全部が連結部１３１Ｊの最外側の両端Ｐ１を結ぶ線分Ｌ１と先端１３１Ｌとの間に位置する。図１８に示す例によれば、釣り糸ガイド１００を釣り竿一部１１に固着するために巻き糸１２を第１取付足１３０に巻くとき、巻き糸１２は一対の凸部１３５の全部に巻かれ得る。
【００５８】
図１９は一対の凸部のさらに他の例を示す。一対の凸部１３５は、中心軸ＣＡ２に沿って少なくとも部分的に互いに接触することができる。即ち、一対の凸部１３５は、それぞれの中間面１３５Ｍの一部または全部で互いに接触することができる。このような例において、スリット部１３２は、一対の凸部１３５の中間面１３５Ｍの間に形成される第２スリット１３４を有しなくてもよい。
【００５９】
一実施形態の釣り糸ガイド１００によれば、第１取付足１３０は、一対の凸部１３５とスリット部１３２が中心軸ＣＡ２に沿って位置するため、上述した凸部とスリット部を備えない取付足の幅より大きい幅を有する。よって、第１取付足１３０は向上した捻じれ耐力を有する。
【００６０】
各凸部１３５の少なくとも一部は、連結部１３１Ｊの最外側の両端Ｐ１を結ぶ線分Ｌ１と先端１３１Ｌとの間に位置する。よって、釣り糸ガイド１００を釣り竿１０に固着するための巻き糸１２が第１取付足１３０と釣り竿一部１１に巻かれる時、図６に示すように、巻き糸１２は各凸部１３５の少なくとも一部と釣り竿一部１１とに巻かれ得る。巻き糸１２は、連結部１３１Ｊの最外側両端と一対の凸部１３５を経ながら、即ち、第１取付足１３０の最大幅Ｗ１を経ながら、第１取付足１３０と釣り竿一部１１とに巻かれ得る。よって、第１取付足１３０の最大幅を経る巻き糸１２によって、釣り糸ガイド１００に強い捻じれ耐力が提供される。また、巻き糸１２が釣り竿一部１１と第１取付足１３０に巻かれた後、巻かれた巻き糸１２に接着剤が塗布されれば、接着剤は第１取付足１３０の第１スリット１３３に流れ込んで第１スリット１３３を埋めて、第１スリット１３３は接着剤を収容する。第１スリット１３３を埋めた接着剤が硬化すれば、図７に示すように、第１スリット１３３内の接着剤は接着剤コーティング１３と一体になり得、釣り竿一部１１に固着される接着剤アンカー１３Ａを形成する。よって、第１スリット１３３内の接着剤アンカー１３Ａが、釣り糸ガイド１００に加えられる外力によって釣り糸ガイド１００が図７に示す矢印の方向に取付位置から離脱することを防止する。
【００６１】
＜製造工程＞
図２４は、上述した第１実施形態の釣り糸ガイド１００を製造するためのブランクの一例を示す。図２５Ａ〜図２５Ｄは、図２４に示すブランクから釣り糸ガイド１００の第１取付足１３０を製造する一例を示す。
【００６２】
図２４に示すブランク５００は、金属シートをプレス加工（例えば、パンチング、ブランキングなど）して得られる。ブランク５００は、リング部５１０、一対の第１支脚部５２０Ｌ、５２０Ｒ、第１取付足部５３０、１つの第２支脚部５４０及び第２取付足部５５０を備える。一対の第１支脚部５２０Ｌ、５２０Ｒは、リング部５１０の側傍縁からそれぞれ延長する。第２支脚部５４０は、一対の第１支脚部５２０Ｌ、５２０Ｒの間でリング部５１０から延長する。第１取付足部５３０は一対の第１支脚部５２０Ｌ、５２０Ｒのそれぞれの自由端から延長し、第２取付足部５５０は第２支脚部５４０の自由端から延長する。リング部５１０、第１支脚部５２０Ｌ、５２０Ｒ、第１取付足部５３０、第２支脚部５４０及び第２取付足部５５０がプレス加工（ベンディング、ドローイングなど）を通じて、上述した保持リング１１３、第１支脚１２０Ｌ、１２０Ｒ、第１取付足１３０、第２支脚１４０及び第２取付足１５０にそれぞれ形成される。
【００６３】
図２４、図２５Ａ及び図２５Ｂを参照すると、第１取付足部５３０は略Ｕ字状を有する。第１取付足部５３０は、第１支脚部５２０Ｌ、５２０Ｒのそれぞれの自由端に隣接する基端５３１Ｂと、リング部５１０の中心ＣＲを経る第１取付足部５３０の中心軸ＣＡ３に沿って基端５３１Ｂと対向する先端５３１Ｌを有する。第１取付足部５３０は、スリット部５３２とスリット部５３２に位置する一対の凸部５３５とを備える。
【００６４】
スリット部５３２は中心軸ＣＡ３に沿って第１取付足部５３０に厚さ方向（第１取付足部５３０の前面と後面を貫通する方向）に基端５３１Ｂから先端５３１Ｌに向かって開いている。各凸部５３５は、基端５３１Ｂに隣接してスリット部５３２に位置する。各凸部５３５は、中心軸ＣＡ３に向かって突出し、スリット部５３２の一部によって中心軸ＣＡ３に垂直な方向で互いに離隔されている。各凸部５３５は、基端５３１Ｂに位置する基端面５３５Ｂと、基端面５３５Ｂと中心軸ＣＡ３に沿って対向する先端面５３５Ｌと、基端面５３５Ｂと先端面５３５Ｌとの間に位置する中間面５３５Ｍとを有する。
【００６５】
この実施形態で、一対の凸部５３５がスリット部５３２に位置するため、スリット部５３２は、中心軸ＣＡ３に沿って先端５３１Ｌと基端５３１Ｂとの間に位置し、幅が異なる第１スリット５３３と第２スリット５３４を含む。第１スリット５３３は、スリット部５３２で中心軸ＣＡ３に沿って一対の凸部５３５と先端５３１Ｌとの間に位置する空間である。第２スリット２３４は、基端５３１Ｂに隣接し、第１スリット２３３の幅より小さい幅を有する。第２スリット２３４は、スリット部１３２で各凸部２３５の中間面２３５Ｍの間に位置する空間である。第１スリット５３３と第２スリット５３４の間には、先端５３１Ｌ側に幅が大きくなる遷移部５３３Ｔが形成されている。第２スリット５３４は基端５３１Ｂから先端５３１Ｌに向かって延長し、第１スリット５３３は遷移部５３３Ｔから先端５３１Ｌに向かって延長し、第２スリット５３４の幅より大きい幅を有する。第１スリット５３３が上述した第１スリット１３３に形成され、第２スリット５３４が上述した第２スリット１３４に形成される。他の実施形態として、一対の凸部５３５は、基端５３１Ｂから先端５３１Ｌ側に離隔され得る。このような例では、各凸部５３５の間には、第２スリット５３４と連結される追加のスリットが形成される。
【００６６】
第２取付足部５５０は、第１取付足部５３０のスリット部５３２及び一対の凸部５３５と形状が合わせられる形状を有する。第２取付足部５５０は、その縁に一対の凹部５５２を有する。各凹部５５２は、中間面５３５Ｍ及び先端面５３５Ｌでの各凸部５３５の輪郭形状と合わせられる輪郭形状を有する。よって、図２４及び図２５Ａに示すように、第２取付足５５０は、凹部５５２が凸部５３５と形状的に合わせられたままスリット部５３２に位置する。
【００６７】
図２４に示すブランク５００は、ブランク５００と同一のサイズの図１に示すブランク９００と比較すると、同一の重量を有する。よって、ブランク５００から製造される釣り糸ガイド１００は、重量の増加なしに耐捻じれ強度が向上した第１取付足１３０を有する。
【００６８】
図２５Ａ及び図２５Ｂに示すように、ベンディングによって第２取付足部５５０を第１取付足部５３０のスリット部５３２から分離させる。次に、図２５Ｂ及び図２５Ｃに示すように、プレス加工によって図２５Ｃに示す矢印の方向にスリット部５３２を狭める。そうすれば、一対の凸部５３５がそれぞれの中間面５３５Ｍで互いに接触する。前記プレス加工は、ブランク５００を構成する金属材料が塑性変形して加工硬化を引き起こす時まで行われる。よって、図２５Ｃで加工硬化領域ＷＨで示すように、第１取付足１３０で捻じれの基点になる支脚の下端とこれに隣接した一対の凸部は、塑性変形によって生成される加工硬化部を含む。即ち、加工硬化領域ＷＨに属する、一対の凸部５３５，これに隣接した第１取付足部５３０の部分、第１取付足部５３０と第１支脚部５２０Ｌ、５２０Ｒとの連結部５３１Ｊ及び連結部５３１Ｊに隣接する第１支脚部５２０Ｌ、５２０Ｒの部分は、前記プレス加工によって塑性変形し、加工硬化される。加工硬化領域ＷＨに属する上述した部分は、加工硬化が起きなかったり加工硬化領域ＷＨより相対的に加工硬化があまり生じない第１取付足部５３０の部分（例えば、スリット部５３２の第１スリット５３３に隣接する第１取付足部５３０の部分）より高い降伏応力（ｙｉｅｌｄ  ｓｔｒｅｓｓ）または耐力（ｐｒｏｏｆ  ｓｔｒｅｓｓ）を有する。ブランク５００の第１取付足部５３０から形成される第１取付足１３０は、前記のプレス加工によって形成される加工硬化を通じて、捻じれが加えられる部分に向上した耐捻じれ強度を有する。前記のプレス加工時に、スリット部５３２の第１スリット５３３は若干のみ狭められて、第１取付足１３０の第１スリット１３３を形成する。また、加工硬化領域ＷＨ以外の第１取付足部５３０の残りの領域は、加工硬化されなかったり加工硬化領域ＷＨより加工硬化があまり生じない。また、第１取付足部５３０の先端部領域ＬＡにおける変形量は、図１に示すブランク９００の先端部領域における変形量より少ない。
【００６９】
図２５Ｄは上述したプレス加工によって形成される第１取付足１３０を示し、図２６は第１取付足に形成された加工硬化部を示す。プレス加工後に発生するスプリングバック現象により、一対の凸部１３５の間にはスリット部１３２の第２スリット１３４が形成され、一対の凸部１３５は第２スリット１３４を介して離隔される。図２５Ｄに示す加工硬化領域ＷＨと図２６に示す加工硬化部を参照すれば、第１支脚１２０Ｌ，１２０Ｒと第１取付足１３０との間の連結部１３１Ｊ、これに隣接する部分及び一対の凸部１３５は、上述したプレス加工を通じて塑性変形によって生成される加工硬化部１３６を含む。しかし、第１支脚１２０Ｌ、１２０Ｒと第１取付足１３０との間の連結部１３１Ｊ、これに隣接する部分及び一対の凸部１３５を除いて、スリット部１３２に隣接する第１取付足１３０の部分は、加工硬化部１３６を含まないか、または加工硬化部１３６より少なく加工硬化された部分を含む。
【００７０】
実施形態による釣り糸ガイドの取付足は、上述した製造工程で製造することができるが、これに限定はしない。上述した製造工程で製造する場合、第１取付足１３０は、スリット部１３２と一対の凸部１３５によって、上述したスリット部と凸部を備えない取付足に比べて広い幅を有する。よって、第１取付足１３０は、捻じれの基点になる支脚の下端で向上した耐捻じれ強度を有すると共に、スリット部と凸部を備えない取付足に比べて重量の増加もなくなる。また、第１取付足１３０は、支脚と取付足との間の連結部、連結部に隣接した部分及び一対の凸部に加工硬化部を含むため、釣り糸がガイドリング１１０に加える負荷によって発生する捻じれに抵抗する部分に強い耐捻じれ強度を有する。また、スリット部を形成することなく全体的に加工硬化される従来技術の取付足と比較して、取付足の先端部領域における変形量が減少する。よって、第１取付足１３０を形成するためのプレス加工は、スリット部の全部を閉鎖する従来のプレス加工の圧力より小さい圧力を用いて行われ得る。このように小さい圧力を用いるプレス加工によって、金型の寿命が増大でき、釣り糸ガイドの生産性が向上でき、低減された製造費用で釣り糸ガイドが製造されることができる。
【００７１】
＜第２実施形態＞
図２０及び図２１は、２つの取付足を有する第２実施形態による釣り糸ガイド２００を示す。釣り糸ガイド２００の第１取付足２３０のスリット部２３２は、第１取付足２３０の全長にわたって形成されている。よって、スリット部２３２の第１スリット２３３は、第２スリット１３４から第１取付足２３０の先端２３１Ｌまで延長する。即ち、スリット部２３２は、基端１３１Ｂから先端２３１Ｌまで延長して、スリット部２３２によって第１取付足２３０は全長にわたって分割されている。よって、釣り糸ガイド２００は、釣り糸ガイド１００より軽量である。釣り糸ガイド２００の第１取付足２３０は、第１スリット２３３が第１取付足２３０の先端２３１Ｌまで延長することを除いては、第１実施形態の釣り糸ガイド１００の第１取付足１３０と同一または類似の構成を有する。
【００７２】
図２７及び図２８は、釣り糸ガイド２００を製造するためのブランクの一例を示す。図２７に示すブランク６００は、スリット部の第１スリットを除いては、図２４に示すブランク５００と同一の構成を有する。ブランク６００の第１取付足部６３０は、第１支脚部５２０Ｌ、５２０Ｒの自由端に接する基端５３１Ｂと、リング部５１０の中心ＣＲを経る中心軸ＣＡ３に沿って基端５３１Ｂと対向する一対の先端６３１Ｌを有する。第１取付足部６３０は、その中に上述したスリット部２３２に形成されるスリット部６３２と上述した一対の凸部１３５に形成される一対の凸部５３５とを備える。スリット部６３２は、第１取付足部６３０に厚さ方向に開いている。
【００７３】
スリット部６３２は、基端５３１Ｂから先端６３１Ｌまで延長する。スリット部６３２は、先端６３１Ｌと一対の凸部５３５との間に位置する第１スリット６３３と、各凸部５３５の中間面５３５Ｍの間に位置して第１スリット６３３の幅より小さい幅を有する第２スリット５３４を含む。第１スリット６３３と第２スリット５３４は、遷移部５３３Ｔによって連結されている。第２スリット５３４は基端５３１Ｂに隣接し、第１スリット６３３は遷移部５３３Ｔから先端６３１Ｌまで延長して第２スリット５３４の幅より大きい幅を有する。よって、第１取付足部６３０はスリット部６３２により分割され、第１取付足部６３０は連結されない同形の２つの半部を有する。第１スリット６３３が上述した第１スリット２３３に形成される。
【００７４】
第１取付足部６３０から第２取付足部５５０を分離させた後、図２５Ｃと図２５Ｄを参照して説明した前記のプレス加工を通じて、第１取付足部６３０と第１支脚部５２０Ｌ、５２０Ｒとの間の連結部、これに隣接した部分及び一対の凸部５３５に塑性変形によって加工硬化を発生させる。よって、第２実施形態の釣り糸ガイド２００は捻じれの基点になる支脚の下端で向上した耐捻じれ強度を有する。
【００７５】
＜第３実施形態＞
図２２Ａ及び図２２Ｂは、１つの取付足を有する第３実施形態による釣り糸ガイド３００Ａ、３００Ｂを示す。釣り糸ガイド３００Ａ、３００Ｂは、１つの取付足と一対の支脚を備える。釣り糸ガイド３００Ａ、３００Ｂは、第２支脚と第２取付足を備えないことを除いては、上述した実施形態の釣り糸ガイド１００、２００とそれぞれ同一の構成を有する。釣り糸ガイド３００Ａの取付足３３０Ａは、上述した釣り糸ガイド１００の第１取付足１３０である。釣り糸ガイド３００Ｂの取付足３３０Ｂは、上述した釣り糸ガイド２００の第１取付足２３０である。この実施形態の釣り糸ガイド３００Ａ、３００Ｂは、上述した実施形態の釣り糸ガイド１００を製造するための金型を用いて製造され得、製造費用を低減することができる。
【００７６】
図２９は釣り糸ガイド３００Ａを製造するためのブランクの一例を示す。図２９に示すブランク７００は、第２支脚部と第２取付足部を備えないことを除いては、図２４に示すブランク５００と同一の構成を有する。ブランク７００から第１取付足１３０を形成する時、ブランク５００から第１取付足１３０を形成するために用いられる金型が用いられ得る。よって、低減された製造費用で、釣り糸ガイド３００Ａが製造され得る。図２５Ｃと図２５Ｄを参照して説明した前記のプレス加工を通じて、第１取付足部５３０と第１支脚部５２０Ｌ、５２０Ｒとの間の連結部、これに隣接した部分及び一対の凸部５３５に加工硬化を発生させる。よって、釣り糸ガイド３００Ａは、支脚の下端で向上した耐捻じれ強度を有する。
【００７７】
＜第４実施形態＞
図２３Ａ及び図２３Ｂは、１つの取付足を有する第４実施形態による釣り糸ガイド４００Ａ，４００Ｂを示す。図２３Ａ及び図２３Ｂにそれぞれ示す釣り糸ガイド４００Ａ，４００Ｂは、ガイドリング１１０の下側縁から延長する一対の支脚４２０Ｌ，４２０Ｒと、各支脚４２０Ｌ，４２０Ｒの下端から延長して各支脚４２０Ｌ，４２０Ｒから折り曲げられている１つの取付足を備える。図２３Ａに示す釣り糸ガイド４００Ａの取付足４３０Ａは、上述した釣り糸ガイド１００の第１取付足１３０である。図２３Ｂに示す釣り糸ガイド４００Ｂの取付足４３０Ｂは、上述した釣り糸ガイド２００の第１取付足２３０である。一対の支脚４２０Ｌ，４２０Ｒはそれらの間に間隙４２１を有する。間隙４２１は取付足４３０Ａ，４３０Ｂの第２スリット１３４に通じている。他の例として、図１９に示すように一対の凸部が部分的に接触する場合、一対の支脚４２０Ｌ，４２０Ｒは、一部の区間で接触して間隙４２１の一部が存在しなくてもよい。一対の支脚４２０Ｌ，４２０Ｒが隣接しているため、釣り糸ガイド４００Ａ，４００Ｂはさらに強い捻じれ耐力を有する。
【００７８】
さらに他の実施形態の釣り糸ガイドは、一対の支脚（例えば、図２３Ａ及び図２３Ｂに示す支脚４２０Ｌ，４２０Ｒ）が一体になった１つの支脚と、このような支脚の下端から延長する上述した第１取付足１３０または第１取付足２３０を備えてもよい。このような支脚は、その幅方向で折り曲げられ得、第１取付足の第２スリット１３４に通じる間隙を有してもよい。
【００７９】
以上で説明した本発明は、上述した実施形態及び添付の図面に示す例によって限定されるものではない。本発明の技術思想を逸脱しない範囲内で様々な置換、変形及び変更が可能であるということが本発明が属する技術分野で通常の知識を有する者にとって明白であろう。
【符号の説明】
【００８０】
１０  釣り竿、１２  巻き糸、１３  接着剤コーティング、１３Ａ  接着剤アンカー、１００  釣り糸ガイド、１１０  ガイドリング、１２０Ｌ，１２０Ｒ  第１支脚、１３０  第１取付足、１３２  スリット部、１３３  第１スリット、１３４  第２スリット、１３５  凸部、１３６  加工硬化部、１４０  第２支脚、１５０  第２取付足、２００  釣り糸ガイド、２３０  第１取付足、２３２  スリット部、２３３  第１スリット、３００Ａ  釣り糸ガイド、３３０Ａ  取付足、３００Ｂ  釣り糸ガイド、３３０Ｂ  取付足、４００Ａ  釣り糸ガイド、４２０Ｌ，４２０Ｒ  支脚、４３０Ａ  取付足、４００Ｂ  釣り糸ガイド、４３０Ｂ  取付足、５００  ブランク、５１０  ガイドリング部、５２０Ｌ，５２０Ｒ  第１支脚部、５３０  第１取付足部、５３２  スリット部、５３３  第１スリット、５３４  第２スリット、５３５  凸部、５４０  第２支脚部、５５０  第２取付足部、５５２  凹部、６００  ブランク、６３０  第１取付足部、６３２  スリット部、６３３  第１スリット、７００  ブランク。
【図１】
2017168911.tif 000003
【図２Ａ】
2017168911.tif 000004
【図２Ｂ】
2017168911.tif 000005
【図３Ａ】
2017168911.tif 000006
【図３Ｂ】
2017168911.tif 000007
【図４】
2017168911.tif 000008
【図５】
2017168911.tif 000009
【図６】
2017168911.tif 000010
【図７】
2017168911.tif 000011
【図８】
2017168911.tif 000012
【図９】
2017168911.tif 000013
【図１０】
2017168911.tif 000014
【図１１】
2017168911.tif 000015
【図１２】
2017168911.tif 000016
【図１３】
2017168911.tif 000017
【図１４】
2017168911.tif 000018
【図１５】
2017168911.tif 000019
【図１６】
2017168911.tif 000020
【図１７】
2017168911.tif 000021
【図１８】
2017168911.tif 000022
【図１９】
2017168911.tif 000023
【図２０】
2017168911.tif 000024
【図２１】
2017168911.tif 000025
【図２２Ａ】
2017168911.tif 000026
【図２２Ｂ】
2017168911.tif 000027
【図２３Ａ】
2017168911.tif 000028
【図２３Ｂ】
2017168911.tif 000029
【図２４】
2017168911.tif 000030
【図２５Ａ】
2017168911.tif 000031
【図２５Ｂ】
2017168911.tif 000032
【図２５Ｃ】
2017168911.tif 000033
【図２５Ｄ】
2017168911.tif 000034
【図２６】
2017168911.tif 000035
【図２７】
2017168911.tif 000036
【図２８】
2017168911.tif 000037
【図２９】
2017168911.tif 000038
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
釣り糸が通過するガイドリングと、
上端で前記ガイドリングと連結される支脚と、
前記支脚の下端から延長して釣り竿に取り付けられて、前記支脚の下端に隣接する基端と前記基端と対向する先端を有する取付足と、
を含み、
前記取付足は、前記基端から前記先端に向かって前記取付足の中心軸に沿って前記取付足に開いているスリット部と、前記スリット部に位置して前記中心軸に向かってそれぞれ突出する一対の中間面を含む凸部とを含む、
釣り糸ガイド。
【請求項２】
前記一対の凸部のそれぞれの少なくとも一部は、前記取付足と前記支脚の下端との間の連結部の最外側の両端を結ぶ線分と前記先端との間に位置する、
請求項１に記載の釣り糸ガイド。
【請求項３】
前記スリット部は前記取付足の中心軸に沿って前記先端と前記一対の凸部との間に位置する第１スリットを有し、
前記取付足の最大幅は、前記第１スリットの最大幅を経て前記中心軸に垂直な線が前記第１スリットの縁と前記取付足の縁とそれぞれ会う二点間の距離の３倍以上４倍以下である、
請求項１に記載の釣り糸ガイド。
【請求項４】
前記スリット部は前記取付足の中心軸に沿って前記先端と前記基端との間に位置する第１スリットと第２スリットとを有し、
前記第２スリットは前記第１スリットの幅より小さい幅を有する、
請求項１に記載の釣り糸ガイド。
【請求項５】
前記スリット部は前記基端から前記先端まで延長して、前記スリット部によって前記取付足が分割される、
請求項１に記載の釣り糸ガイド。
【請求項６】
前記一対の凸部は前記取付足の中心軸に沿って少なくとも部分的に互いに接触する、
請求項１に記載の釣り糸ガイド。
【請求項７】
前記支脚は、前記ガイドリングからそれぞれ延長する一対の第１支脚と前記ガイドリングから延長する１つの第２支脚を含み、
前記取付足は前記一対の第１支脚の下端から延長し、
前記釣り糸ガイドは前記第２支脚の下端から延長して釣り竿に取り付けられるもう１つの取付足を含み、
前記もう１つの取付足は前記一対の凸部の輪郭形状の一部と合わせられる輪郭形状を有する一対の凹部を備える、
請求項１に記載の釣り糸ガイド。
【請求項８】
請求項１〜請求項７のいずれか１項に記載の釣り糸ガイドを備える釣り竿。
【請求項９】
リング部と、前記リング部から延長する一対の第１支脚部と、前記一対の第１支脚部のそれぞれの自由端から延長して前記一対の第１支脚部のそれぞれの自由端に隣接する基端と前記基端と対向する先端を有する第１取付足部と、を含む釣り糸ガイド用ブランクであって、
前記第１取付足部は、前記基端から前記先端に向かって前記第１取付足部の中心軸に沿って前記第１取付足部に開いているスリット部と、前記スリット部に位置して前記中心軸に向かってそれぞれ突出する一対の中間面を含む凸部とを含む、
釣り糸ガイド用ブランク。
【請求項１０】
前記第１支脚部の間で前記リング部から延長する１つの第２支脚部と、前記第２支脚部の自由端から延長する第２取付足部とをさらに含み、
前記第２取付足部は、前記スリット部及び前記一対の凸部と形状が合わせられる形状を有する、
請求項９に記載の釣り糸ガイド用ブランク。
【請求項１１】
前記スリット部は前記基端から前記先端まで延長して、前記第１取付足部が前記スリット部によって分割される、
請求項９に記載の釣り糸ガイド用ブランク。
【請求項１２】
請求項９〜請求項１１のいずれか１項に記載の釣り糸ガイド用ブランクから製造される釣り糸ガイド。
【国際調査報告】
2017168911.tif 000039
2017168911.tif 000040
2017168911.tif 000041
2017168911.tif 000042